(57)【特許請求の範囲】
【請求項１】
入力画像の入力画像情報を画像形成装置の画像形成制御信号に変換する画像信号処理方法において、
前記入力画像から得られる描画オブジェクトのタイプ及び色情報を判別する手順と、
前記描画オブジェクトが形成される領域の背景情報を抽出する手順と、
前記描画オブジェクトのタイプ、色情報及び背景情報に応じて、前記描画ブジェクト毎に、色変換テーブルを選択する色変換テーブル選択手順と、
前記色変換テーブル選択手順で選択された色変換テーブルに基づいて、前記入力画像情報を補間演算して前記画像形成制御信号へと変換する補間演算手順と、
を備えることを特徴とする画像信号処理方法。
【請求項２】
前記背景情報は、前記描画オブジェクトが形成される領域における背景色の平均値であることを特徴とする請求項１に記載の画像信号処理方法。
【請求項３】
前記背景情報は、前記描画オブジェクトが形成される領域における画像形成を行なう単色の出現頻度を基準とした値であることを特徴とする請求項１に記載の画像信号処理方法。
【請求項４】
前記描画オブジェクトの画像情報が黒色及び白色である場合、前記背景情報に応じた画像形成制御信号への変換の制御を行わないことを特徴とする請求項１に記載の画像信号処理方法。
【請求項５】
前記描画オブジェクトにおける色情報と、前記描画オブジェクトが形成される領域における背景色情報との色差が所定の色差内にある場合のみ、前記背景情報に応じた画像形成制御信号への変換の制御を行うことを特徴とする請求項１に記載の画像信号処理方法。
【請求項６】
前記所定の色差は、文字の種類、文字のサイズ、文字のスタイル、文字の色、線の種類、線の太さ及び線の色の一部又は全部に対応して設定されることを特徴とする請求項５に記載の画像信号処理方法。
【請求項７】
前記入力画像がカラー画像であり、前記画像形成装置がカラー画像形成装置である請求項１乃至６いずれか一項に記載の画像信号処理方法において、
前記入力画像の前記カラー画像出力装置における色再現範囲外の色を、前記カラー画像出力装置における色再現範囲内の色に補正する処理を含むことを特徴とする画像信号処理方法。
【請求項８】
前記入力画像の描画オブジェクトのタイプと前記描画オブジェクトが形成される領域の背景情報に応じて、前記入力画像の前記色再現範囲外の色を前記色再現範囲内の色に圧縮写像する方向を制御することを特徴とする請求項７に記載の画像信号処理方法。
【請求項９】
前記圧縮写像する方向の制御は、色相一定で、かつ、明度保存の方向から彩度保存の方向の範囲内であることを特徴とする請求項７に記載の画像信号処理方法。
【請求項１０】
前記背景情報は、前記描画オブジェクトが形成される領域における背景色の平均値であることを特徴とする請求項７に記載の画像信号処理方法。
【請求項１１】
入力画像の入力画像情報を画像形成装置の画像形成制御信号に変換する画像信号処理装置において、
前記入力画像から得られる描画オブジエクトのタイプ及び色情報を判別するオブジェクト種別判定手段と、
前記描画オブジェクトが形成される領域の背景情報を抽出する背景色情報抽出手段と、
該描画オブジェクトのタイプ、色情報及び背景情報に応じて、前記描画オブジェクト毎に色変換テーブルを選択する色変換テーブル選択手段と、
前記色変換テーブル選択手段で選択された色変換テーブルに基づいて、前記入力画像情報を補間演算して前記画像形成制御信号へと変換する補間演算手段とを具備することを特徴とする画像信号処理装置。
【請求項１２】
前記オブジェクト種別判定手段は、
前記描画オブジェクトのタイプ又は色情報に基づいて、色変換の制御を行うか否かを判定することを特徴とする請求項１１に記載の画像信号処理装置。
【請求項１３】
入力画像の入力画像情報を画像形成装置の画像形成制御信号に変換するためのプログラムを記録した記録媒体であって、
前記入力画像から得られる描画オブジェクトのタイプ及び色情報を判別する手順と、
前記描画オブジェクトが形成される領域の背景情報を抽出する手順と、
該描画オブジェクトのタイプ、色情報及び背景情報に応じて、前記描画オブジェクト毎に、色変換テーブルを選択する色変換テーブル選択する色変換テーブル選択手順と、
前記色変換テーブル選択手順で選択された色変換テーブルに基づいて、前記入力画像情報を補間演算して前記画像形成制御信号へと変換する補間演算手順と、
をコンピュータに実行させるプログラムを記録したコンピュータ読み取り可能な記録媒体。
【請求項１４】
入力画像の入力画像情報を画像形成装置の画像形成制御信号に変換する画像信号処理方法において、
前記入力画像から得られる描画オブジェクトのタイプと前記描画オブジェクトが形成される領域の背景情報に応じて、前記入力画像情報から前記画像形成制御信号への変換を制御し、
前記描画オブジェクトの画像情報が黒色及び白色である場合、前記背景情報に応じた画像形成制御信号への変換の制御を行わないことを特徴とする画像信号処理方法。
【発明の詳細な説明】
【０００１】
【発明の属する技術分野】
本発明は、画像信号処理方法、画像信号処理装置及び画像信号処理プログラムを記録した媒体に関し、特に、入力された画像を描画オブジェクトのタイプに対応して高品位に出力する画像信号処理方法、画像信号処理装置及び画像信号処理プログラムを記録した媒体に関する。
【０００２】
【従来の技術】
スキャナやホストコンピュータから画像データを受け取り、カラー複写機等の画像形成装置の制御信号である複数の出力色成分Ｃ（Ｃｙａｎ）、Ｍ（Ｍａｚｅｎｔａ）、Ｙ（Ｙｅｌｌｏｗ）、Ｋ（ｂlａｃＫ）に一律の色変換を実施して画像データ送り、カラー複写機等の画像形成装置で出力する場合、ホストコンピュータのモニタ上で表示される複合ドキュメントの色を、最適に色再現することは困難であった。
【０００３】
例えば、ページ記述言語によって、異なるタイプのオブジェクトを組色合わせて、モノクロとカラーの両方の写真、グラフィック、テキスト等の複合ドキュメントの作成が可能となっている。ところで、写真の出力に合わせて色変換を実施すると、同じドキュメント内のテキストやグラフィックが色あせて見えて、インパクトがなくなってしまったり、逆にビジネスグラフィックに合わせて、高彩度に色再現してしまうと、写真イメージの色が損なわれたり、背景色に選んだ色も高濃度になる為、背景色上の文字が読み難くなってしまうという問題が生じている。
【０００４】
この問題を解決する為に、例えば、特開平９−２８２４７１号公報及び特開平９−１９３４７７号公報が公知である。
【０００５】
特開平９−２８２４７１号公報には、ぺージ記述言語における画像のタイプ（文字、図形、ラスタ画像データ）に基づき、画素毎の特徴を判定し、中間調処理、ガンマ補正、フィルタ処理、マスキング処理等の各プリント品質に係わる処理を施す技術が記載されている。特開平９−２８２４７１号公報に記載された発明は、画像タイプに基づいて画像出力信号の制御を行い、従来より品位の高い画像を出力することができる。
【０００６】
また、特開平９−１９３４７７号公報には、印刷データの内容を参照し、オブジェクト毎に色補正に関する属性を判別して、判別された属性に対応する色補正関数を選択するカラー印刷装置が記載されている。特開平９−１９３４７７号公報に記載された発明は、各種別のオブジェクトを自動的に判別し、各オブジェクト毎に色補正を行っている。
【０００７】
ところで、特開平９−１９３４７７号公報に記載された発明が行っている色補正に関して述べる。
【０００８】
一般に、電子写真、インクジェットプリンタの色再現範囲は、テレビジョンやＣＲＴディスプレイ等の色再現範囲に比べて狭く、従来から、入力カラー画像が有する色再現範囲と出力装置の色再現範囲が異なる場合に対応する多くの色補正技術が提案されている。この色補正技術は、現状の画像出力装置に限界がある以上、カラー画像出力装置にとって、必須の技術である。
【０００９】
色補正に関して、上記公報以外に、例えば、特開平４−４００７２号公報及び特開平７−３２７１４１号公報が公知である。
【００１０】
特開平４−４００７２号公報には、均等色空間やＨＶＣ色空間（明度、色相、彩度に関する情報からなる色空間）上で、出力先の色再現範囲の外であるか否か判定し、外の場合、明度と色相が同じである彩度が最大の値に修正して出力する色補正方式が記載されている。
【００１１】
また、特開平７−３２７１４１号公報には、明度成分について入出力系の再現明度の比に応じて圧縮した後に、彩度成分を圧縮して色再現範囲内の色画像データに変換するカラー画像信号処理方法が記載されている。
【発明が解決しようとする課題】
しかしながら、特開平９−２８２４７１号公報及び特開平９−１９３４７７号公報に記載された発明は、画像タイプのみに基づいて画像出力信号の制御を行うものであり、背景の色に関係なく、オブジェクトの色を制御するものであり、オブジェクトと背景の食い違いが吸収できない。
【００１２】
従って、背景色上の文字が見にくくなる場合が生じるという問題がある。
【００１３】
また、色補正に関しても、特開平４−４００７２号公報及び特開平７−３２７１４１号公報に記載された発明は、背景の色に関係なく制御され、背景との関係では、適切に色補正がなされるものではない。
【００１４】
従って、背景色上の文字が見にくくなる場合が生じるという問題がある。
【００１５】
本発明は、前述した従来技術の問題点を解決するためになされたもので、画像タイプと背景情報に基づいて、画像出力信号の制御及び色補正を行うことにより、背景色上の文字や線画を見やすくした複合ドキュメント画像が得られるような画像信号処理方法、画像信号処理装置及び画像信号処理プログラムを記録した媒体を提供することを目的とする。
【００１６】
【課題を解決するための手段】
前記の目的を達成する手段として以下の構成を備える。
【００１７】
本発明に係わる第１の発明は、入力画像の入力画像情報を画像形成装置の画像形成制御信号に変換する画像信号処理方法において、入力画像の描画オブジェクトのタイプと描画オブジェクトが形成される背景情報に応じて、入力画像情報から画像形成制御信号への変換を制御するようにしている。
【００１８】
これにより、背景色上の文字や線画を見やすくした複合ドキュメント画像が得られるような画像信号処理方法を得ることができる。
【００１９】
本発明に係わる第２の発明は、描画オブジェクトの背景情報を、描画オブジェクトが形成される領域（図３における網掛けの部分の領域）における背景色の平均値で評価するようにしている。
【００２０】
これにより、背景がグラデーションや写真等、特殊な場合であっても、適切な描画オブジェクトの色再現法を決定することができる。
【００２１】
本発明に係わる第３の発明は、背景情報が、例えば、ＣＭＹ又はＣＭＹＫ信号で表現された場合を規定しており、この場合は、描画オブジェクトの背景情報を、描画オブジェクトが形成される領域における画像形成を行なう単色の出現頻度を基準とした値で評価するようにしている。
これにより、背景情報が、ＣＭＹ又はＣＭＹＫ信号の場合であっても、背景色の平均値を求めることができ、適切な描画オブジェクトの色再現法を決定することができる。
【００２２】
本発明に係わる第４の発明は、描画オブジェクトの画像情報が黒色及び白色である場合、背景情報に応じた画像形成制御信号への変換の制御を行わないようにしている。
【００２３】
描画オブジェクトの画像情報が黒色及び白色である場合は、信号の変換制御を行っても意味がない。第４の発明では、このような場合、無駄な制御を省くことができる。
【００２４】
本発明に係わる第５の発明は、描画オブジェクトにおける色情報と、描画オブジェクトが形成される領域における背景色情報との色差が所定の色差内にある場合のみ、背景情報に応じた画像形成制御信号への変換の制御を行うようにしている。
【００２５】
描画オブジェクトが形成される領域における背景色情報との色差が所定の色差内にある場合は、信号の変換制御を行わなくても、充分に見やすいので、この場合に制御を行っても意味がない。第５の発明により、このような場合においては、無駄な制御を省く。
【００２６】
本発明に係わる第６の発明は、所定の色差は、文字の種類、文字のサイズ、文字のスタイル、文字の色、線の種類、線の太さ及び線の色の一部又は全部に対応して設定されるようにしている。
【００２７】
第６の発明構成のように、所定の色差を、文字の種類、文字のサイズ、文字のスタイル、文字の色、線の種類、線の太さ及び線の色に対応して設定することにより、オブジェクトに適した制御を行うことができる。
【００２８】
本発明に係わる第７の発明は、入力画像がカラー画像であり、画像形成装置がカラー画像形成装置である請求項１乃至６いずれか一項に記載の画像信号処理方法において、入力画像のカラー画像出力装置における色再現範囲外の色を、カラー画像出力装置における色再現範囲内の色に補正する処理を含むようにしている。
【００２９】
これにより、背景色上の文字や線画を見やすくした複合ドキュメント画像が得られるような色補正を行うことができる。
【００３０】
本発明に係わる第８の発明は、入力画像の描画オブジェクトのタイプと描画オブジェクトが形成される背景情報に応じて、入力画像の色再現範囲外の色を色再現範囲内の色に圧縮写像する方向を制御するようにしている。
これにより、背景色上の文字や線画を見やすくした複合ドキュメント画像が得られるような色補正を行うことができる。
【００３１】
本発明に係わる第９の発明は、圧縮写像する方向を、色相一定で、かつ、明度保存の方向から彩度保存の方向の範囲内で制御するようにしている。
これにより、背景色上の文字や線画を見やすくした複合ドキュメント画像が得られるような色補正を行うことができる。
【００３２】
本発明に係わる第１０の発明は、描画オブジェクトの背景情報を、描画オブジェクトが形成される領域における背景色の平均値で評価するようにしている。
【００３３】
これにより、背景がグラデーションや写真等、特殊な場合であっても、適切な描画オブジェクトの色補正を行うことができる。
【００３４】
本発明に係わる第１１の発明は、入力画像の入力画像情報を画像形成装置の画像形成制御信号に変換する画像信号処理装置において、前記入力画像の描画オブジエクトのタイプを判別するオブジェクト種別判定手段と、前記描画オブジェクトが形成される背景情報を抽出する背景色情報抽出手段と、該描画オブジェクトのタイプと背景情報に応じて、前記入力画像情報から前記画像形成制御信号への変換を制御する制御手段とを有するものである。
これにより、背景色上の文字や線画を見やすくした複合ドキュメント画像が得られるような画像信号処理装置を得ることができる。
【００３５】
本発明に係わる第１２の発明は、入力画像がカラー画像であり、画像形成装置がカラー画像形成装置であり、制御手段は、入力画像の前記カラー画像出力装置における色再現範囲外の色を、前記カラー画像出力装置における色再現範囲内の色に補正する手段を具備する請求項１１に記載の画像信号処理装置において、制御手段は、描画オブジェクトのタイプと背景情報に応じて、入力画像の色再現範囲外の色を前記色再現範囲内の色に圧縮写像する方向を制御するものである。
【００３６】
これにより、背景色上の文字や線画を見やすくした複合ドキュメント画像が得られるような画像信号処理装置を得ることができる。
【００３７】
本発明に係わる第１３の発明は、入力画像の入力画像情報を画像形成装置の画像形成制御信号に変換するためのプログラムを記録した記録媒体であって、入力画像の描画オブジェクトのタイプを判別する手順と、描画オブジェクトが形成される背景情報を抽出する手順と、描画オブジェクトのタイプと背景情報に応じて、入力画像情報から画像形成制御信号への変換を制御する手順とをコンピュータに実行させるプログラムを記録するようにしている。
【００３８】
これにより、背景色上の文字や線画を見やすくした複合ドキュメント画像が得られるようにコンピュータに実行させるプログラムを記録した記録媒体を得ることができる。
【００３９】
本発明に係わる第１４の発明は、カラーの入力画像をカラー画像出力装置における色再現範囲内の色に変換するためのプログラムを記録した記録媒体であって、前記入力画像の描画オブジェクトのタイプを判別する手順と、前記描画オブジェクトが形成される背景情報を抽出する手順と、該描画オブジェクトのタイプと背景情報に応じて、前記入力画像のカラー画像出力装置における色再現範囲外の色を前記色再現範囲内の色に圧縮写像する方向を制御する手順とをコンピュータに実行させるプログラムを記録するようにしている。
【００４０】
これにより、背景色上の文字や線画を見やすくした複合ドキュメント画像が得られるようにコンピュータに実行させるプログラムを記録した記録媒体を得ることができる。
【００４１】
【発明の実施の形態】
次に、本発明の実施の形態について図面と共に説明する。
（第１の実施の形態）
図１は、本発明におけるの第１の実施の形態にかかる画像出力制御装置（画像信号処理装置）のブロック図を示している。
【００４２】
図１において、１０１は、画像出力制御装置をコントロールするためのコンピュータである。コンピュータ１０１は、オペレータから出力命令を受け取ると、画像を撮像するなどして取り込まれた画像データや各種ＤＴＰソフトで作成したモノクロとカラーの両方の写真、グラフィック、テキスト等の複合ドキュメントの画像データなどを画像出力制御装置２００に送信する。画像出力制御装置２００は、コンピュータ１０１から送信された画像データ等を分析し、入力画像情報を、制御信号である複数の出力色成分Ｃ（Ｃｙａｎ）、Ｍ（Ｍａｚｅｎｔａ）、Ｙ（Ｙｅｌｌｏｗ）、Ｋ（ｂlａｃＫ）へ変換して、カラー複写機等の画像形成装置（プリンタ）３０１に転送する。画像形成装置３０１では、送信された画像を出力（プリント）する。
【００４３】
画像出力制御装置２００は、画像形成装置（プリンタ）３０１内部に実装して色変換する場合もあれば、コンピュータ１０１内に実装する場合もある。
【００４４】
また、画像形成装置（プリンタ）３０１と独立に設けられたプリンタ制御装置内に実装して色変換してから画像データを画像形成装置（プリンタ）３０１に送るようにしても構わない。
【００４５】
更に、本実施形態は、ソフトウエアで実行することも可能であり、その場合には、コンピュータ内のプログラムとして存在するプリンタ・ドライバで実行することができる。
【００４６】
画像出力制御装置２００は、少なくともオブジェクト種別判定手段２０１と、入力された画像データに対して、描画オブジェクトのタイプと描画オブジェクトが形成される背景情報に応じた画像形成装置用の制御信号への変換を行なう色変換手段２０２と、指定された描画オブジェクトが形成される背景にある色情報を抽出する背景色情報抽出手段２０３と、ぺージ記述言語（ＰＤＬ）等で記述された描画命令に従って、印刷画像（イメージデータ）へ展開、合成、γ変換、中間調処理等を実施する描画手段２０４と、描画手段２０４で描画された１ぺージ又は数ページ分の印刷画像を一時的に格納しておく画像記憶手段（格納バッファ）２０５とを備えている。
【００４７】
画像出力制御装置２００は、画像表示装置の特性とプリンタの特性に合わせて表示画像に忠実なプリンタ出力を得るための色変換手段２０２や機種毎に対応した解像度を変換する解像度変換手段などを備えていても良い。
【００４８】
なお、この画像出力制御装置に入力される画像データは、より具体的にはＲＧＢ（緑、青、赤）の階調データとなっており、また、各色成分の階調教は８ｂｉｔ＝２５６階調が一般的であるが、６４又は５１２など他の階調数の場合でも構わない。
【００４９】
次に、画像出力制御装置２００の動作について説明する。オブジェクト種別判定手段２０１は、複合ドキュメント等の画像データを受け取り、描画オブジェクトのタイプ（文字コード、図形コード、ラスタ画像データ）やその内容（種類、サイズ、色、太さ等）を認識して、色変換の制御を行なうか否かを判定し、色変換手段２０２又は背景色情報抽出手段２０３へ画像データを送る。
【００５０】
オブジェクト種別判定手段２０１から、直接、入力画像データは、色変換手段２０２へ送られる。例えば、イメージオブジェクトや図形の塗り潰し処理等の画像データは、色変換手段２０２において、オペレータの使用している画像表示装置の特性と画像形成装置（プリンタ）３０１の特性に基づいて色変換により、画像表示となるべく一致するような画像形成装置（プリンタ）３０１の制御信号である複数の出力色成分Ｃ、Ｍ、Ｙ、Ｋのデータに変換され、描画手段２０４、画像記憶手段（格納バッファ）２０５に送られる。
【００５１】
ＲＧＢ（緑、青、赤）の階調データから、出力色成分Ｃ、Ｍ、Ｙ、Ｋのデータヘの変換は、メモリマップ補間によりＣＭＹＫデータに色変換する。
【００５２】
なお、メモリマップ補間とは、図２に示すように、ＲＧＢ空間を入力色空間とした場合、ＲＧＢ空間を同種類の立体図形（ここでは立方体）に分割する。入力の座標Ｐ（ＲＧＢ）おける出力値（変換されたＣ、Ｍ、Ｙ、Ｋのデータ）を求めるには、前記入力の座標を含む立方体を選択し、該選択された立方体の８点の予め設定した頂点上の出力値と前記入力の前記立方体の中における位置（各頂点からの距離）に基づいて、線形補間を実施する。
【００５３】
図２におけるＰ（ＲＧＢ）点と出力（Ｃ（ＲＧＢ）、Ｍ（ＲＧＢ）、Ｙ（ＲＧＢ））とは、補間演算の関係にある。この補間演算を、オブジェクト種別に従って変更することにより、同じ、Ｐ（ＲＧＢ）点であっても、その出力（Ｃ（ＲＧＢ）、Ｍ（ＲＧＢ）、Ｙ（ＲＧＢ））を異ならせることができる。
【００５４】
本実施の形態の場合では、出力値は、Ｃ、Ｍ、Ｙ値にそれぞれ相当し、補間演算に使用される入力空間上の座標（ＲＧＢ）には、実際の入出力（Ｌ＊ａ＊ｂ＊−ＣＭＹ）の関係を測定して、このデータを使用して最小２乗法等により算出したＲＧＢ（Ｌ＊ａ＊ｂ＊）に対するＣ、Ｍ、Ｙの値を予め設定している。
【００５５】
また、ＣＭＹ信号は、例えば次式のような演算によって、ＣＭＹＫ信号に変換される。
Ｋ＝α×ｍｉｎ（Ｃ、Ｍ、Ｙ）
Ｃ’＝Ｃ−β×Ｋ
Ｍ’＝Ｍ−β×Ｋ
Ｙ’＝Ｙ−β×Ｋ                                              （１）
なお、色変換法はこの方法だけに限らず、ＲＧＢから直接、ＣＭＹ信号を求めてもよい。
【００５６】
また、画像表示装置の特性を、例えば、コンピュータが画像データのヘッダ情報に記録して送信するようにしても良いし、上記の画像出力制御装置をコンピュータ内部に実装する場合には、例えばＩＣＣ（Ｉｎｔｅｒ  Ｃｏlｏｒ  Ｃｏｎｓｏｒｔｉｕｍ）で標準化されているデバイス・プロファイルを読み出して用いてよい。
【００５７】
オブジェクト種別判定手段２０１から背景色情報抽出手段２０３へ送られる、例えば、文字情報に対応する画像データは、背景色情報抽出手段２０３において、描画開始アドレス、文字サイズ、文字の種類等の情報が抽出され、文字が形成される領域（図３における網掛けの部分の領域）が算出される。この領域は、当然であるが、文字サイズ、文字の種類等により、大きさが異なる。また、文字の描画開始アドレスに応じて、場所も異なる。
【００５８】
背景色情報抽出手段２０３では、図３に示すように、画像記憶手段（格納バッファ）２０５に展開された画像に対して、前記算出された領域の背景色情報を、領域内にある全画素の色の平均値として抽出する。
【００５９】
ここで、改めて色変換手段２０２における処理について、図４を使用して説明する。色変換手段２０２における色変換テーブル選択部４０１では、制御対象となる描画オブジェクト（ｅｘ．文字）のタイプ、色情報（Ｒｉ、Ｇｉ、Ｂｉ）、背景色情報抽出手段２０３からの背景色情報（Ｒｂ、Ｇｂ、Ｂｂ）を参照して、色変換テーブル記憶部４０３から最適な色変換テーブルを選択し、補間演算部４０２に送る。補間演算部４０２では、選択された色変換テーブルを参照して、例えば、前述したようなメモリマップ補間を実施し、描画手段に画像データを送る。
【００６０】
色変換テーブル選択部４０１では、例えば、オブジェクトが文字で、色変換する文字の色と背景色が共に近い明るい色であると判定した場合、同色相で高濃度の色が出力される文字用テーブルＡを補間演算部４０２に送り、逆に、色変換する文字の色と背景色とのコントラストが強いと判断した場合は、モニタ表示色に近く出力される文字用テーブルＢを補間演算部４０２に送る。これにより、背景に対応して文字を見やすくしている。
【００６１】
なお、文字用テーブルＡは、明度を保持したまま変換するテーブルであり、文字用テーブルＢは、彩度を保持したまま変換するテーブルである。
【００６２】
以上説明した画像出力制御装置では、任意の入力画像情報に対して、背景色上の文字や線画を見やすくした複合ドキュメント画像の出力が可能となる。
【００６３】
また、図４の説明は、オブジェクト情報と背景情報からオブジェクトの色を変更する例について説明したが、本発明では、オブジェクト情報と背景情報から背景色を変更するようにしてもよい。この場合、色変換テーブル記憶部４０３として、背景色の変換テーブルが用いられる。この背景色の変換テーブルは、例えば、均一な背景における場合の背景色の変換を行うテーブル、グラデーションの場合における背景色の変換を行うテーブル等を備える。
【００６４】
図５は、以上説明した画像出力制御装置２００が行う画像処理方法を説明するフローチャートである。ここでは、オブジェクトが文字の場合について説明するが、文字以外のオブジェクトに対しても、これに準じて行うことができる。
【００６５】
まず、ステップ１では、複合ドキュメント等の画像データを受け取り、描画オブジェクトのタイプ（文字コード、図形コード、ラスタ画像データ）やその内容（種類、サイズ、色、太さ等）を認識し、色変換テーブルを変更するか否かの判定を実施する為に予め定められている描画オブジェクトと背景色との色差情報△Ｅｓを所定の値に設定する。
【００６６】
次に、ステップ２で、描画オブジェクトが文字情報であるか否かを判定し、文字以外のオブジェクトであれば、ステップ１１にスキップして、デフォルトの色変換テーブルを使用した色変換を実施し処理を終了する。
【００６７】
ここでいうデフォルトの色変換テーブルは、モニタ表示色に近く出力できるように設定されている。
【００６８】
ステップ２で文字と判定された場合、ステップ３において、その描画オブジェクトの色情報（Ｒ、Ｇ、Ｂ）の全てが、０又は２５５であるか否か、つまり、黒又は白を表す情報であるかが判定され、ＲＧＢの全てが、０又は２５５である場合、ステップ１１にスキップして、デフォルトの色変換テーブルを使用した色変換を実施し、処理を終了する。
【００６９】
ステップ３で、描画オブジェクトの色が黒又は白でないと判定されると、ステップ４において、描画開始アドレス、文字サイズ、文字の種類等の情報を参照して、文字が形成される画像領域が算出される。
【００７０】
次に、ステップ４で設定された画像領域にある背景の各画素の持つ情報が、２値データであるか多値データであるかをステップ５において判定する。
【００７１】
ステップ５において、オブジェクトが描画される領域の背景が、例えば、ＲＧＢの多値データで構成されていると判定された場合、ステップ６で、領域内の各要素（Ｒ、Ｇ、Ｂ）の平均値（Ｒａｖｅ、Ｇａｖｅ、Ｂａｖｅ）を求め、例えば、次示すような演算式で、均等色空間上の色であるＬ＊ａ＊ｂ＊を算出する。
Ｘ＝０．４１２４×Ｒ＋０．３５７６×Ｇ＋０．１８０５×Ｂ
Ｙ＝０．２１２６×Ｒ＋０．７１５２×Ｇ＋０．０７２２×Ｂ
Ｚ＝０．０１９３×Ｒ＋０．１１９２×Ｇ＋０．９５０５×Ｂ        （２）
Ｌ＊＝１１６（Ｙ／Ｙｏ）１／３−１６、    （Ｙ／Ｙｏ＞０．００８８５６）
ａ＊＝５００〔（Ｘ／Ｘｏ）１／３−（Ｙ／Ｙｏ）１／３〕、  （Ｘｏ、Ｙｏ、Ｚｏ                                    は、基準反射面の値）
ｂ＊＝２００〔（Ｙ／Ｙｏ）１／３−（Ｚ／Ｚｏ）１／３〕、              （３）
なお、均等色空間上の色であるＬ＊ａ＊ｂ＊に変換して、人間の感覚に見合った制御を行っている。
【００７２】
また、ＲＧＢの場合は、背景が塗り潰されている場合は、ＲＧＢのそれぞれの大きさから、直接その平均色度値を求めることができる。また、背景がグラデーションの場合は、色度の変化する方向の平均を求めることで、背景全体の平均色度値を求めることができる。
【００７３】
ステップ４において、オブジェクトが描画される領域の背景が、例えば、ＣＭＹＫの２値データで構成されていると判定された場合（入力画像の情報が既に、画像形成制御信号に変換されている場合）は、ステップ７で、領域内におけるＣ、Ｍ、Ｙ、Ｋが存在する画素数をそれぞれについてカウントし、領域内の全画素数で割り、単位面積当たりの各色成分（ＣＭＹＫ）の画素数を求め、その出現頻度から例えば均等色空間上の色でＬ＊ａ＊ｂ＊を推定する。
【００７４】
ステップ６又はステップ７で算出された背景色のＬｈ、ａｈ、ｂｈと、描画オブジェクトの色であるＬｏ、ａｏ、ｂｏとの色差△Ｅを、ステップ８において、下に示す式で求める。
△Ｅ＝〔（Ｌｈ−Ｌｏ）２＋（ａｈ−ａｏ）２＋（ｂｈ−ｂｏ）２〕１／２（４）
ステップ９では、ステップ８で算出した△Ｅと、ステップ１で定めた描画オブジェクトと背景色との色差情報△Ｅｓを比較して、算出した△Ｅが予め設定された△Ｅｓより大きい場合、ステップ１１にスキップして、デフォルトの色変換テーブルを使用した色変換を実施して処理を終了する。
【００７５】
逆に、△Ｅ＜△Ｅｓである場合は、ステップ１０において、各ステップで求めた条件から、最適な色変換テーブルを選択して変更する。
【００７６】
ステップ１１で、ステップ１０で設定された色変換テーブルを使用した色変換が実施される。
【００７７】
以上の方法により、例えば、アプリケーションソフトで文字修飾等を実施したために、文字の情報の一部がグラフィックスとして、送られてきても、図５のフローを実施することができ、文字の一部の色が変更されるような、問題は生じない。
【００７８】
従って、上記実施の形態によれば、任意の入力画像情報に対して、文書内における色違い等の不具合が目立つことなく、かつ、背景色上の文字や線画の見やすさとと両立した複合ドキュメント画像の出力が得られるようになる。
【００７９】
図６に、本画像処理システムの具体的な情報処理システムの構成を示すブロック図を示す。
【００８０】
この画像処理システムは、ワークステーションとプリンタ３０１が接続されている。ワークステーションは、前記した画像出力制御処理（画像信号処理）の機能を実現するもので、プログラム読取装置１２、ディスプレイ１３、キーボード２０及び演算処理装置２１などで構成されている。
【００８１】
演算処理装置２１は、種々のコマンドが実行可能なＣＰＵ１６に、ＲＡＭ１７、ＲＯＭ１８がバス２２で接続されている。また、バス２２には、大容量記憶装置であるＤＩＳＫ１４と、ネットワーク上の機器と通信を行うＮｌＣ１５が接続されている。
【００８２】
プログラム読取装置１２は、各種のプログラムコードを記憶した記憶媒体、すなわち、フロッピディスク、ハードディスク、光ディスク（ＣＤ−ＲＯＭ、ＣＤ−Ｒ、ＣＤ−Ｒ／Ｗ、ＤＶＤ−ＲＯＭ、ＤＶＤ−ＲＡＭなど）、光磁気ディスク、メモリカードなどに記憶されているプログラムコードを読み取る装置で、例えばフロッピディスクドライブ、光ディスクドライブ、光磁気ディスクドライブなどである。記憶媒体に記憶されているプログラムコードは、プログラム読取装置で読みとってＤＩＳＫ１４などに格納され、このＤＩＳＫ１４などに格納されたプログラムコードをＣＰＵによって実行することにより、前記した画像信号処理方法などを実現することができるようになる。また、コンピュータ１０１が読み出したプログラムコードを実行することにより、そのプログラムコードの指示に基づき、コンピュータ１０１上で稼動しているＯＳ（オペレーティングシステム）やデバイス・ドライバなどが、実際の処理の一部又は全部を行い、その処理によって前記した機能が達成される場合も含まれる。
（第２の実施の形態）
第２の実施の形態は、第１の実施の形態と共に又は単独で実施可能である。
【００８３】
図７は、第２の実施の形態に係る色補正装置のブロック図を示している。
【００８４】
図７において、１０１は、色補正装置をコントロールするためのコンピュータである。コンピュータ１０１は、オペレータから出力命令を受け取ると、画像を撮像するなどして取り込まれた画像データや各種ＤＴＰソフトで作成したモノクロとカラーの両方の写真、グラフィック、テキスト等の複合ドキュメントの画像データなどを色補正装置１２００に送信する。
【００８５】
色補正装置１２００はコンピュータ１０１から送信された画像データを分析し、後述する色補正処理によって、カラー複写機等の画像形成装置（プリンタ）３０１における色再現範囲の色に圧縮写像してから、制御信号である出力色成分Ｃ（Ｃｙａｎ）、Ｍ（Ｍａｚｅｎｔａ）、Ｙ（Ｙｅｌｌｏｗ）、Ｋ（ｂlａｃＫ）に色変換して、その結果を画像形成装置３０１に転送する。
【００８６】
そして、画像形成装置（プリンタ）３０１は送信された画像をプリントする。
【００８７】
色補正装置１２００は、画像形成装置（プリンタ）３０１内部に実装して色変換する場合もあれば、コンピュータ１０１内に実装する場合もある。また、画像形成装置（プリンタ）３０１と独立に設けられたプリンタ制御装置内に実装して色変換してから画像データを画像形成装置（プリンタ）に送るようにしても構わない。
【００８８】
更に、本実施の形態は、ソフトウエアで実行することも可能であり、その場合には、コンピュータ内のプログラムとして存在するプリンタ・ドライバで実行することができる。
【００８９】
色補正装置１２００は、少なくともオブジェクト種別判定手段２０１と、入力されたカラー画像データに対して、描画オブジェクトのタイプと描画オブジェクトが形成される背景情報に応じたプリンタの色再現範囲内への圧縮写像を行なう色補正手段１２０２と、指定された描画オブジェクトが形成される背景にある色情報を抽出する背景色情報抽出手段２０３と、プリンタの色再現範囲内へ圧縮写像されたＬ＊ａ＊ｂ＊値をプリンタ用の制御信号に変換する色変換手段１２０４と、ぺージ記述言語（ＰＤＬ）等で記述された描画命令に従って、印刷画像（イメージデータ）へ展開、合成、γ変換、中間調処理等を実施する描画手段２０５と、描画手段２０５で描画された１ぺージ又は数ページ分の印刷画像を一時的に格納しておく画像記憶手段（格納バッファ）２０６とを備えている。
【００９０】
なお、この色補正装置１２００に入力される画像データは、より具体的にはＲＧＢ（緑、青、赤）の階調データである。また、各色成分の階調教は８ｂｉｔ＝２５６階調が一般的であるが、６４又は５１２など他の階調数の場合でも構わない。
【００９１】
次に、色補正装置１２００の動作について説明する。オブジェクト種別判定手段２０１は、第１の実施の形態と同様に、複合ドキュメント等の画像データを受け取り、描画オブジェクトのタイプ（文字コード、図形コード、ラスタ画像データ）やその内容（種類、サイズ、色、太さ等）を認識して、プリンタの色再現範囲内への圧縮写像方向の制御を行なうか否かを判定し、色補正手段１２０２又は背景色情報抽出手段２０３へ画像データを送る。例えば、イメージオブジェクトや図形の塗り潰し処理等の画像データは、オブジェクト種別判定手段２０１から直接、色変換手段１２０４へ送られる。色補正手段１２０２において、ＣＲＴモニタの色温度、色度座標、光電変換特性に応じて、例えば、次示すような演算式で、均等色空間上の色であるＬ＊ａ＊ｂ＊を算出する。
Ｘ＝０．４１２４×Ｒ＋０．３５７６×Ｇ＋０．１８０５×Ｂ
Ｙ＝０．２１２６×Ｒ＋０．７１５２×Ｇ＋０．０７２２×Ｂ
Ｚ＝０．０１９３×Ｒ＋０．１１９２×Ｇ＋０．９５０５×Ｂ        （２）
Ｌ＊＝１１６（Ｙ／Ｙｏ）１／３−１６、    （Ｙ／Ｙｏ＞０．００８８５６）
ａ＊＝５００〔（Ｘ／Ｘｏ）１／３−（Ｙ／Ｙｏ）１／３〕、  （Ｘｏ、Ｙｏ、Ｚｏ                                    は、基準反射面の値）
ｂ＊＝２００〔（Ｙ／Ｙｏ）１／３−（Ｚ／Ｚｏ）１／３〕、              （３）
なお、均等色空間上の色であるＬ＊ａ＊ｂ＊に変換して、人間の感覚に見合った制御を行っている。
【００９２】
また、同時に、Ｌｗｈｉｔｅ、Ｌｂlａｃｋをプリンタの最大明度（ｗｈｉｔｅ  ｐｏｉｎｔ）及び最小明度（ｂｌａｃｋ  ｐｏｉｎｔ）とした次式のような入力カラー画像信号の明度成分（Ｌ＊）の圧縮処理が実施される（図８参照）。Ｌ＊＝Ｌ＊×（Ｌｗｈｉｔｅ−Ｌｂｌａｃｋ）÷１００＋Ｌｂlａｃｋ  （５）
ただし、
Ｌｗｈｉｔｅ：プリンタの最大明度（ｗｈｉｔｅ  ｐｏｉｎｔ：図８（Ａ）におけるＬｗｐに相当する。）
Ｌｂｌａｃｋ：プリンタの最小明度（ｂｌａｃｋ  ｐｏｉｎｔ：図８（Ａ）におけるＬｂｐに相当する。）
式（５）の操作は、入力カラー画像信号のプリンタの色再現範囲外にある明度成分（Ｌ＊）の色をプリンタの色再現範囲内の明度に変更する操作である。これは、図８（Ａ）から図８（Ｂ）に変更する操作である。
【００９３】
更に、色補正手段１２０２では、前記明度圧縮後もプリンタの色再現範囲外にある色に対しては、例えば色差最小方向にあるプリンタの色再現範囲における最外郭の色に貼り付け処理（図８（Ｂ）の実線から破線への変換処理に相当する。）が実施される。図８において、実線から破線への写像は、横方向であれば、明度が保存されたまま写像される。また、縦方向であれば、彩度が保存されたまま写像される。実際には、例えば、図８（Ｂ）では、Ｘ１からＸ２へ所定の角度θをもって、写像される。
【００９４】
色補正手段１２０２において色圧縮された入力画像データは、変換手段１２０４において、均等色空間における色であるＬ＊ａ＊ｂ＊に対する画像形成装置（プリンタ）３０１の特性に基づいた色変換により、画像形成装置（プリンタ）３０１の制御信号である複数の出力色成分Ｃ、Ｍ、Ｙ、Ｋデータに変換され、描画手段２０５、画像記憶手段（格納バッファ）２０６に送られる。
【００９５】
色補正手段１２０２における色変換は、第１の実施の形態と同じく、メモリマップ補間が使用されている。
【００９６】
また、文字情報に対応する画像データは、第１の実施の形態と同じく、オブジェクト種別判定手段２０１から背景色情報抽出手段２０３へ送られる。背景色情報抽出手段２０３において、描画開始アドレス、文字サイズ、文字の種類等の情報が抽出され、文字が形成される領域が算出される。
【００９７】
又、背景色情報抽出手段２０３では、第１の実施の形態と同じく、画像記憶手段（格納バッファ）２０６に展開された画像に対して、領域内にある全画素の色の平均値を出力する。
【００９８】
ここで、改めて色補正手段１２０２における処理について、図９を使用して説明する。
【００９９】
色補正手段１２０２におけるＲＧＢ→Ｌ＊ａ＊ｂ＊変換部１４０１では、入力された色を、前述の（２）、（３）式の演算によって、代表的な均等色空間であるＣＩＥＬ＊ａ＊ｂ＊に変換し、明度圧縮部１４０２では、プリンタの最大明度（ｗｈｉｔｅ  ｐｏｉｎｔ）及び最小明度（ｂｌａｃｋ  ｐｏｉｎｔ）を参照して前述の（５）式により、入力カラー画像信号の明度成分（Ｌ＊）をプリンタの再現範囲に調整する処理が実施される（図８（Ａ）から（Ｂ）への処理）。
【０１００】
色圧縮部１４０３は、描画オブジェクトの色が、前述の明度圧縮後も色再現範囲記憶部１４０４にあるデータを参照して、プリンタ色再現範囲外にあると判定した場合、制御対象となる描画オブジェクト（ｅｘ．文字）のタイプ、色情報（Ｌ＊ａ＊ｂ＊ｉｎ）、背景色情報抽出手段２０３からの背景色情報（Ｌ＊ａ＊ｂ＊ｂａｃｋ）の例えば次式に示すような色差と前記色情報（Ｌ＊ａ＊ｂ＊ｉｎ）に応じて、色相一定で、かつ、明度保存の方向から彩度保存の方向の範囲内で圧縮方向を決定し、前記圧縮方向にあるプリンタ色再現範囲における最外郭色を色再現範囲記憶部１４０４から選択して色変換手段１２０４へ送る。
【０１０１】
色圧縮部１４０３では、第１の実施の形態と同様に、式（４）から色差を求め、例えば、色変換する文字の色と背景色の色差が小さく、共に近い明るい色であると判定した場合は、同色相で高濃度の色が出力される圧縮方向（色差最小、彩度保存）の色に写像され、逆に、色変換する文字の色と背景色とのコントラストが強いと判断した場合は、モニタ表示色に近く出力される圧縮方向（明度保存、色差最小）の色に写像される。
【０１０２】
なお、色差最小、彩度保存とは、色相及び彩度を保存したまま、明度を変える変換であり、明度保存、色差最小とは、色相及び明度を保存したまま、彩度を変える変換である。このように変換して、色相を変えずに、オブジェクトを見やすくしている。
【０１０３】
以上説明した色補正装置では、任意の入力カラー画像情報に対して、背景色上の文字や線画の見やすさい複合ドキュメント画像の出力が可能となる。
【０１０４】
図１０は、以上説明した色補正装置２００が行う色補正方法を説明するフローチャートである。
【０１０５】
まず、ステップ１０１では、複合ドキュメント等の画像データを受け取り、描画オブジェクトの色情報（ＲＧＢ）を、前述の（２）、（３）式の演算によって、代表的な均等色空間であるＣＩＥＬ＊ａ＊ｂ＊に変換する。
【０１０６】
次いで、ステップ１０２において、プリンタの最大明度（ｗｈｉｔｅ  ｐｏｉｎｔ）及び最小明度（ｂｌａｃｋ  ｐｏｉｎｔ）を参照して前述の（５）式により、入力カラー画像信号の明度成分（Ｌ＊）をプリンタの再現範囲に調整する処理が実施される（図８参照）。
【０１０７】
ステップ１０３では、複合ドキュメント等の画像データを受け取り、描画オブジェクトのタイプ（文字コード、図形コード、ラスタ画像データ）やその内容（種類、サイズ、色、太さ等）を認識し、ステップ１０４で描画オブジェクトが文字情報であるか否かを判定し、文字以外のオブジェクトであれば、ステップ１１０にスキップして、デフォルトの色圧縮方向で決まる色圧縮方向に基づき、プリンタの色再現範囲外にある色の色補正（圧縮）が実施され、処理を終了する。
【０１０８】
ここでいうデフォルトの色圧縮方向とは、モニタ表示色に近く出力できるように設定された、例えば、色差最小方向のようなものが考えられるが、色相に応じて変化するものでも良く、この限りではない。
【０１０９】
ステップ１０４で文字と判定された場合、ステップ１０５において、描画開始アドレス、文字サイズ、文字の種類等の情報を参照して、文字が形成される画像領域が算出される。
【０１１０】
次に、ステップ１０６で、第１の実施の形態と同じく、領域内の各要素（ＲＧＢ、ＣＭＹ、ＣＭＹＫ）の平均値を求め、均等色空間上の色であるＬ＊ａ＊ｂ＊を算出する。
【０１１１】
ステップ１０７では、式（５）に基づいて、明度圧縮が実施される。
【０１１２】
ステップ１０８では、第１の実施の形態と同じく、ステップ１０６、ステップ１０７で算出された背景色のＬｈ、ａｈ、ｂｈと、ステップ１０６、ステップ１０７で算出された描画オブジェクトの色であるＬo、ａｏ、ｂｏとの色差△Ｅを、ステップ１０８において、前述の式（４）で求める。
【０１１３】
ステップ１０９では、ステップ１０８で算出した△Ｅと、描画オブジェクトの色Ｌｏ、ａｏ、ｂｏ等から、色圧縮パラメータを選択、変更し、ステップ１１０で設定された色圧縮方向に従った色圧縮が実施される。
【０１１４】
なお、ステップ１０９、ステップ１１０における色圧縮は、次式（６）で求まる色相Ｈが保存される方向、かつ、明度保存の方向から彩度保存の方向の範囲内（図８における所定の角度θの方向）で実施される。
【０１１５】
色相：Ｈ＝ａ＊ｔａｎ２（ｂ＊、ａ＊）×１８０／π
ただし、ａ＝ｂ＝０のとき、Ｈ＝０、
Ｈ＜０のとき、Ｈ＝３６０＋Ｈ                        （６）
以上の方法により、例えば、アプリケーションソフトで文字修飾等を実施したために、文字の情報の一部がグラフィックスとして、送られてきても、図１０のフローを実施することができ、文字の一部の色が変更されるような、問題は生じない。
【０１１６】
従って、任意の入力画像情報に対して、文書内における色違い等の不具合が目立つことなく、かつ、背景色上の文字や線画の見やすさと両立した複合ドキュメント画像の出力が得られるようになる。
【０１１７】
第１の実施の形態と同じく、本実施の形態は、図６に示すような情報処理システを構成して実施することができる。詳細は、第１の実施の形態に準じるので省略する。
【０１１８】
【発明の効果】
上述の如く本発明によれば、次に述べる種々の効果を奏することができる。
【０１１９】
本発明に係わる第１の発明は、入力画像の入力画像情報を画像形成装置の画像形成制御信号に変換する画像信号処理方法において、入力画像の描画オブジェクトのタイプと描画オブジェクトが形成される背景情報に応じて、入力画像情報から画像形成制御信号への変換を制御するようにしているため、背景色上の文字や線画を見やすくした複合ドキュメント画像が得られるような画像信号処理方法を得ることができる。
【０１２０】
本発明に係わる第２の発明は、背景情報を、前記描画オブジェクトが形成される領域における背景色の平均値で評価するようにしているため、背景がグラデーションや写真等、特殊な場合であっても、適切な描画オブジェクトの色再現法を決定することができる。
【０１２１】
本発明に係わる第３の発明は、描画オブジェクトの背景情報を、描画オブジェクトが形成される領域における画像形成を行なう単色の出現頻度を基準とした値で評価するようにしているため、描画オブジェクトの背景情報を、描画オブジェクトが形成される領域における画像形成を行なう単色の出現頻度を基準とした値で評価するバイナリ方式のプリンタで印刷する場合であっても、適切な描画オブジエクトの色再現法を決定することができる。
【０１２２】
本発明に係わる第４の発明は、描画オブジェクトの画像情報が黒色及び白色である場合、背景情報に応じた画像形成制御信号への変換の制御を行わないようにしているため、高速に背景色上の文字や線画の見やすさと両立した複合ドキュメント画像が得られるような画像形成装置の画像形成制御信号に変換することができる。
【０１２３】
本発明に係わる第５の発明は、描画オブジェクトにおける色情報と、描画オブジェクトが形成される領域における背景色情報との色差が所定の色差内にある場合のみ、背景情報に応じた画像形成制御信号への変換の制御を行うようにしているため、適切な描画オブジエクトの色再現法を決定することができる。
【０１２４】
本発明に係わる第６の発明は、所定の色差は、文字の種類、文字のサイズ、文字のスタイル、文字の色、線の種類、線の太さ及び線の色の一部又は全部に対応して設定されるようにしているため、適切な描画オブジエクトの色再現法を決定することができる。
【０１２５】
本発明に係わる第７の発明は、入力画像がカラー画像であり、画像形成装置がカラー画像形成装置である請求項１乃至６いずれか一項に記載の画像信号処理方法において、入力画像の前記カラー画像出力装置における色再現範囲外の色を、カラー画像出力装置における色再現範囲内の色に補正する処理を含むようにしているため、背景色上の文字や線画を見やすくした複合ドキュメント画像を得ることができる。
【０１２６】
本発明に係わる第８の発明は、入力画像の描画オブジェクトのタイプと描画オブジェクトが形成される背景情報に応じて、入力画像の色再現範囲外の色を色再現範囲内の色に圧縮写像する方向を制御するようにしているため、背景色上の文字や線画を見やすくした複合ドキュメント画像を得ることができる。
【０１２７】
本発明に係わる第９の発明は、圧縮写像する方向を、色相一定で、かつ、明度保存の方向から彩度保存の方向の範囲内で制御するようにしているため、背景色上の文字や線画を見やすくした複合ドキュメント画像が得られるような色補正を行うことができる。
【０１２８】
本発明に係わる第１０の発明は、描画オブジェクトの背景情報を、描画オブジェクトが形成される領域における背景色の平均値で評価するようにしているため、背景がグラデーションや写真等、特殊な場合であっても、描画オブジェクトの色に対する色再現範囲内への圧縮写像方向を適切に決定することができる。
【０１２９】
本発明に係わる第１１の発明は、入力画像の入力画像情報を画像形成装置の画像形成制御信号に変換する画像信号処理装置において、前記入力画像の描画オブジエクトのタイプを判別するオブジェクト種別判定手段と、前記描画オブジェクトが形成される背景情報を抽出する背景色情報抽出手段と、該描画オブジェクトのタイプと背景情報に応じて、前記入力画像情報から前記画像形成制御信号への変換を制御する制御手段とを有しているため、背景色上の文字や線画を見やすくした複合ドキュメント画像を得ることができるような装置を提供できる。
【０１３０】
本発明に係わる第１２の発明は、入力画像がカラー画像であり、画像形成装置がカラー画像形成装置であり、制御手段は、入力画像の前記カラー画像出力装置における色再現範囲外の色を、前記カラー画像出力装置における色再現範囲内の色に補正する手段を具備する請求項１１に記載の画像信号処理装置において、制御手段は、描画オブジェクトのタイプと背景情報に応じて、入力画像の色再現範囲外の色を前記色再現範囲内の色に圧縮写像する方向を制御するため、背景色上の文字や線画を見やすくした複合ドキュメント画像を得ることができるような装置を提供できる。
【０１３１】
本発明に係わる第１３の発明は、入力画像の入力画像情報を画像形成装置の画像形成制御信号に変換するためのプログラムを記録した記録媒体であって、入力画像の描画オブジェクトのタイプを判別する手順と、描画オブジェクトが形成される背景情報を抽出する手順と、描画オブジェクトのタイプと背景情報に応じて、入力画像情報から画像形成制御信号への変換を制御する手順とをコンピュータに実行させるプログラムを記録するようにしているため、背景色上の文字や線画を見やすくした複合ドキュメント画像を得ることができるプログラムを実行できる。
【０１３２】
本発明に係わる第１４の発明は、カラーの入力画像をカラー画像出力装置における色再現範囲内の色に変換するためのプログラムを記録した記録媒体であって、前記入力画像の描画オブジェクトのタイプを判別する手順と、前記描画オブジェクトが形成される背景情報を抽出する手順と、該描画オブジェクトのタイプと背景情報に応じて、前記入力画像のカラー画像出力装置における色再現範囲外の色を前記色再現範囲内の色に圧縮写像する方向を制御する手順とを、コンピュータに実行させるプログラムを記録するようにしているため、背景色上の文字や線画を見やすくした複合ドキュメント画像を得ることができるプログラムを実行できる。
【図面の簡単な説明】
【図１】画像信号処理装置を説明するための図である。
【図２】色変換を説明するための図である。
【図３】背景色抽出手段を説明するための図である。
【図４】色変換手段を説明するための図である。
【図５】画像信号処理方法を説明するためのフロー図である。
【図６】本発明の機能を実現する画像信号処理プログラムが実行可能な情報処理装置を説明するための図である。
【図７】色補正装置を説明するための図である。
【図８】色補正を説明するための図である。
【図９】色補正手段を説明するための図である。
【図１０】色補正方法を説明するためのフロー図である。
【符号の説明】
１０    ディジタルスチルカメラ
１１    スキャナ
１２    プログラム読取装置
１３    ディスプレイ
１４    ＤＩＳＫ
１５    ＮＩＣ
１６    ＣＰＵ
１７    ＲＡＭ
１８    ＲＯＭ
１９    マウス
２０    キーボード
２１    演算処理装置
１０１    コンピュータ
２００    画像信号処理装置
２０１    オブジェクト種別判定手段
２０２、１２０４    色変換手段
２０３    背景色情報抽出手段
２０４    描画手段
２０５    画像記憶手段
３０１    画像形成装置
４０１    色変換テーブル
４０２    補間演算部
４０３    色変換テーブル記憶部
１２００   色補正装置
１２０２    色補正手段
１４０１    ＲＧＢ→Ｌ＊ａ＊ｂ＊変換部
１４０２    明度圧縮部
１４０３    色圧縮部
１４０４    色再現範囲記憶部
【図１】
0004090175.tif 000002
【図２】
0004090175.tif 000003
【図３】
0004090175.tif 000004
【図４】
0004090175.tif 000005
【図５】
0004090175.tif 000006
【図６】
0004090175.tif 000007
【図７】
0004090175.tif 000008
【図８】
0004090175.tif 000009
【図９】
0004090175.tif 000010
【図１０】
0004090175.tif 000011